(57)【要約】【課題】組立てが容易で、かつ、比較的安価に製造することが可能な、記録ディスクカートリッジを提供する。【解決手段】記録ディスクメディア３０を収容し、この記録ディスクメディア３０を外部に臨ませるアクセス用開口部１０１を有するカートリッジケース１０と、このカートリッジケース１０の内部で回動することでアクセス用開口部１０１を開閉するロータリシャッタ２０とを備え、このロータリシャッタ２０が、互いに対向して配置される上シャッタ２１および下シャッタ２２と、上シャッタ２１と下シャッタ２２との間に介在してロータリシャッタ２０の周壁を構成しカートリッジケース１０に形成されたガイド孔１２４から突出するように形成されたシャッタノブ２４が一体に形成されているシャッタウォール２３と、を備えている記録ディスクカートリッジ１である。【選択図】図２
2007141299.tif 000002
【特許請求の範囲】
【請求項１】
記録ディスクメディアと、前記記録ディスクメディアを収容するとともに、前記記録ディスクメディアを外部に臨ませるアクセス用開口部を有するカートリッジケースと、前記記録ディスクメディアと前記カートリッジケースとの間で回動することで前記アクセス用開口部を開閉するロータリシャッタと、を備える記録ディスクカートリッジであって、
前記ロータリシャッタが、互いに対向して配置される上シャッタおよび下シャッタと、前記上シャッタと前記下シャッタとに取り付けられて前記ロータリシャッタの周壁を構成するシャッタウォールと、前記カートリッジケースに形成されたガイド孔から突出するように形成されたシャッタノブと、を備えており、
前記シャッタノブが、前記シャッタウォールと一体に形成されていることを特徴とする記録ディスクカートリッジ。
【請求項２】
前記シャッタノブが、射出成形により前記シャッタウォールと一体に形成されていることを特徴とする請求項１に記載の記録ディスクカートリッジ。
【請求項３】
前記シャッタノブが、前記ガイド溝から突出するように形成された円柱状の軸部と、前記軸部を支持する基部と、を備えており、
前記基部は、前記シャッタウォールから所定長前記ロータリシャッタの回転軸方向に突出した形状に形成されていることを特徴とする請求項１または請求項２に記載の記録ディスクカートリッジ。
【請求項４】
前記下シャッタが、前記基部に対応する位置に、該基部の平面形状に対応する形状の切欠部を有していることを特徴とする請求項３に記載の記録ディスクカートリッジ。
【請求項５】
前記シャッタノブが、前記軸部に設置されて、前記ガイド孔の溝幅よりも大きな外径からなる円環部を備えていることを特徴とする請求項３または請求項４に記載の記録ディスクカートリッジ。
【請求項６】
前記シャッタノブの前記ガイド孔からの突出部分が、耐磨耗、高滑り特性を示す部材により構成されていることを特徴とする請求項１乃至請求項５のいずれか１項に記載の記録ディスクカートリッジ。
【請求項７】
前記円環部が、前記軸部に、回転自在に取り付けられていることを特徴とする請求項５に記載の記録ディスクカートリッジ。
【発明の詳細な説明】
【技術分野】
【０００１】
本発明は、記録ディスクカートリッジに関し、より詳しくは記録ディスクメディアと、記録ディスクメディアを収容するカートリッジケースとを備える記録ディスクカートリッジに関する。
【背景技術】
【０００２】
従来、ポリエステルシートなどからなる円盤状の支持体の両面に磁性層を形成したフレキシブルな磁気ディスクメディアや、光記録ディスクメディア、相変化ディスクメディアなどの記録ディスクメディアをカートリッジケースに収容した記録ディスクカートリッジが知られている。これらの記録ディスクメディアは、年々、高密度記録化されており、その記録トラック幅はより狭くなってきていると共にその記録長はより短くなってきている。
【０００３】
従来の記録ディスクカートリッジとしては、例えば特許文献１に記載のものが知られている。
特許文献１に記載の記録ディスクカートリッジ８００は、図８（ａ）及び（ｂ）に示すように、カートリッジケース８１０と、このカートリッジケース８１０の内部に回動可能に配置されたロータリシャッタ８２０と、このロータリシャッタ８２０の内部に回転自在に配置された記録ディスクメディア８３０と、を主に備えている。記録ディスクメディア８３０は、円盤状のフレキシブルディスク８３１と、このフレキシブルディスク８３１を支持するハブ８３２とから構成されている。かかる記録ディスクカートリッジ８００は、専用のドライブ装置（図示省略）に装着されて使用される。
【０００４】
カートリッジケース８１０は、図８（ａ）及び（ｂ）に示すように、上シェル８１１と下シェル８１２とから構成されており、記録ディスクカートリッジ８００がドライブ装置に装着されたときにドライブ装置のヘッドが記録ディスクメディア８３０にアクセスできるように、平面視くさび形のアクセス用開口部８１３が形成されている。また、下シェル８１２には、記録ディスクカートリッジ８００がドライブ装置に装着されたときにドライブ装置のスピンドルがハブ８３２にチャックできるように、チャック用ハブ孔８１５が形成されている。
【０００５】
ロータリシャッタ８２０は、円盤状の上シャッタ８２３と下シャッタ８２４とから構成されており、記録ディスクメディア８３０をアクセス用開口部８１３から外部に臨ませるための切欠８２１を有している。この切欠８２１は、アクセス用開口部８１３と対応する形状を有している。なお、上シャッタ８２３にはその外周を下向に折り曲げることにより一体に形成された折り曲げ部が、下シャッタ８２４にはその外周を上向に折り曲げることにより一体に形成された折り曲げ部が、それぞれ形成されており、ロータリシャッタ８２０は、上シャッタ８２３の折り曲げ部の内側に下シャッタ８２４の折り曲げ部が重なるように嵌合することで形成されている。また、ロータリシャッタ８２０は、カートリッジケース８１０内で回動できるように上シェル８１１に結合されている。ロータリシャッタ８２０が閉位置にあるとき、カートリッジケース８１０のアクセス用開口部８１３はロータリシャッタ８２０の切欠８２１以外の部分によって塞がれる。そのため、記録ディスクメディア８３０は外部に露出しない。ロータリシャッタ８２０が開位置にあるとき、ロータリシャッタ８２０の切欠８２１とカートリッジケース８１０のアクセス用開口部８１３とが重なって、アクセス用開口部８１３から記録ディスクメディア８３０が露出する。ロータリシャッタ８２０は、図示しないばねにより付勢されて、ドライブ装置に装着されていないときは閉位置に配置され、ドライブ装置に装着されたときは開位置に配置されるようになっている。
また、ロータリシャッタ８２０の下シャッタ８２４には、チャック用ハブ孔８１５と対応する形状を有するハブ孔８２２が形成されており、ハブ８３２の下面は、このハブ孔８２２を介してチャック用ハブ孔８１５から露出している。
【０００６】
ロータリシャッタ８２０によるアクセス用開口部８１３の開閉は、記録ディスクカートリッジ８００をドライブ装置への装着時に、下シャッタ８２４に一体に形成されたシャッタノブ８２５が、ドライブ装置のシャッタノブ係止部に係止されることにより、下シェル８１２に形成されたガイド孔８１４に沿ってシャッタノブ８２５が移動して、カートリッジケース８１０内においてロータリシャッタ８２０を回転させることにより行う。
そのため、シャッタノブ８２５は、カートリッジケース８１０の下シェル８１１のガイド孔８１４から下方向に突出するように形成されている。また、シャッタノブ８２５の先端は、ガイド孔８１４の幅よりも大きく形成されて、シャッタノブ８２５がカートリッジケース８１０内に入り込むこと（ガイド孔８１４から外れること）がないように形成されている。
【特許文献１】米国特許第６２５６１６８号明細書
【発明の開示】
【発明が解決しようとする課題】
【０００７】
このような従来の記録ディスクカートリッジ８００では、金属製部材をロータリシャッタ８２０の下面に抵抗溶接法やかしめ法等により固定することでロータリシャッタ８２０とシャッタノブ８２５とを一体に形成していた。このため、シャッタノブ８２５の形成には、高品質による微小部材の固定作業に手間を要するとともにこの微小部材の取り扱いが煩雑であるという問題点を有していた。
また、シャッタノブ８２５の形成は、ガイド孔８１４を挿通させた状態でロータリシャッタ８２０の下面に固定する必要があり、取り扱いが困難なため、作業効率が悪かった。さらに、ロータリシャッタ８２０の組立ては、下シャッタ８２４に下シェル８１２が組み合わされた状態で記録ディスクメディア８３０の配置、上シェル８１１に組み合わされた状態の上シャッタ８２３への下シャッタ８２４の嵌合を行う必要があり、取り扱いが煩雑で、作業効率に支障をきたしていた。
【０００８】
また、従来の記録ディスクカートリッジ８００は、部品点数が多いことによる各部品の製造費や組立てに要する作業の手間などにより、記録ディスクカートリッジ全体の製造費が高くなるという問題点も有していた。
【０００９】
このような背景に鑑みて本発明がなされたのであり、本発明は、組立てが容易でかつ、比較的安価に製造することが可能な、記録ディスクカートリッジを提供することを課題とする。
【課題を解決するための手段】
【００１０】
前記課題を解決するための手段として、本発明は、記録ディスクメディアと、前記記録ディスクメディアを収容するとともに、前記記録ディスクメディアを外部に臨ませるアクセス用開口部を有するカートリッジケースと、前記記録ディスクメディアと前記カートリッジケースとの間で回動することで前記アクセス用開口部を開閉するロータリシャッタと、を備える記録ディスクカートリッジであって、前記ロータリシャッタが、互いに対向して配置される上シャッタおよび下シャッタと、前記上シャッタと前記下シャッタとに取り付けられて前記ロータリシャッタの周壁を構成するシャッタウォールと、前記カートリッジケースに形成されたガイド孔から突出するように形成されたシャッタノブと、を備えており、前記シャッタノブが、前記シャッタウォールと一体に形成されていることを特徴としている。
【００１１】
このような記録ディスクカートリッジによれば、予めシャッタウォールとシャッタノブとが一体に形成されているため、シャッタノブとして別部材を下シャッタに固定する手間を要していた従来に比べて、組立作業の工程を一部省略し、簡易に行うことを可能としている。また、シャッタノブを予めシャッタウォールと一体に形成しているため、細かい部品を取り扱うための手間と加工に要する費用を省略することが可能となる。
なお、本明細書において、前、後、左、右、上、下は、相対的な位置関係を示すものであり、重力との関係から絶対的に定まる方向に限定するものではない。
【００１２】
前記した記録ディスクカートリッジにおいて、前記シャッタノブが、射出成形により前記シャッタウォールと一体に形成されていれば、シャッタノブが、所定の箇所に所定の形状により形成されていて記録ディスクカートリッジの組立作業が容易になる。また、部品点数の削減と品質の向上が可能となり、好適である。
【００１３】
前記した記録ディスクカートリッジにおいては、前記シャッタノブが、前記ガイド溝から突出するように形成された円柱状の軸部と、前記軸部を支持する基部と、を備えており、前記基部は、前記シャッタウォールから所定長前記ロータリシャッタの回転軸方向に突出した形状に形成されていることが望ましい。
このような構成により、シャッタノブは、基部によって支持された状態で所定の位置に配置されているため、アクセス用開口部の開閉時にシャッタノブに作用する応力によって破損が生じることが防止されるため、好適である。
【００１４】
また、前記した記録ディスクカートリッジにおいて、前記下シャッタが、前記基部に対応する位置に、該基部の平面形状に対応する形状の切欠部を有していれば、ロータリシャッタの組立て時に、シャッタノブを有したシャッタウォールと下シャッタとの組立てを容易に行うことができ、好適である。
【００１５】
また、前記した記録ディスクカートリッジにおいて、前記シャッタノブが、前記軸部に設置されて、前記ガイド孔の溝幅よりも大きな外径からなる円環部を備えていれば、下シェルのガイド孔からシャッタノブが外れることが防止されるため、好適である。また、円環部の取り付けを、ロータリシャッタの組立て後に、ロータリシャッタを下シェルに配置してから行えば、記録ディスクカートリッジの組立作業性が向上し、好適である。
【００１６】
また、前記した記録ディスクカートリッジにおいて、前記シャッタノブの前記ガイド孔からの突出部分である軸部または円環部が、耐磨耗、高滑り特性を示す部材により構成されていれば、ドライブへの装着時やドライブからの取り出し時に伴うシャッタノブとドライブのシャッタノブ係止部との接触によるシャッタノブの変形や破損が防止されるため好適である。つまり、対磨耗、高滑り特性を示す部材とは、ドライブへの装着時においてシャッタノブに作用する摩擦力に対する耐力を有する、または、摩擦力を軽減することが可能な部材をいい、例えば、ポリオキシメチレン、ポリオキシエチレン、ポリカーボネート等のエンジニアプラスチックが好適に用いられる。
【００１７】
また、前記円環部が、前記シャッタノブの先端部に、回転自在に取り付けられていれば、ドライブへの装着時やドライブからの取り出し時に伴うシャッタノブとドライブのシャッタノブ係止部との接触によるシャッタノブの変形や破損を防止するため好適である。
【発明の効果】
【００１８】
本発明によれば、記録ディスクカートリッジを効率的に組み立てることが可能となり、かつ、比較的安価に製造することが可能となった。
【発明を実施するための最良の形態】
【００１９】
本発明を実施するための最良の形態について図面を参照して詳細に説明する。
参照する図面において、図１は、本実施形態に係る記録ディスクカートリッジを示す斜視図であり、（ａ）は前方斜め上方からみた図、（ｂ）は後方斜め下方からみた図をそれぞれ示している。図２は、本実施形態に係る記録ディスクカートリッジの分解斜視図である。図３は、本実施形態に係るロータリシャッタを示す斜視図であり、（ａ）は前方斜め上方からみた図、（ｂ）は後方斜め下方からみた図である。図４は、本実施形態に係る記録ディスクカートリッジを下方からみた平面図である。図５は、本実施形態に係る記録ディスクカートリッジをドライブ装置に挿入した状態を示す斜視図である。図６は、本実施形態に係るロータリシャッタの一部を示す分解斜視図である。図７は、本実施形態に係るシャッタノブの詳細を示す断面図である。
なお、本実施形態において方向を説明する場合は、図１に示す前、後、左、右、上、下、を基準として説明する。
【００２０】
≪記録ディスクカートリッジ１の構成≫
本実施形態に係る記録ディスクカートリッジ１は、図１及び図２に示すように、カートリッジケース１０と、このカートリッジケース１０の内部に回動可能に配置されたロータリシャッタ２０と、このロータリシャッタ２０の内部に回転自在に配置された記録ディスクメディア３０と、カートリッジケース１０の内部であってロータリシャッタ２０の下方に配置されたハブ孔シャッタ４０と、記録ディスクメディア３０をクリーニング及び保護等するライナ６０，６０と、各ライナ６０をロータリシャッタ２０の内面に固着する接着層（固定層）と、を主に備えている。そして、このような記録ディスクカートリッジ１は、専用のドライブ装置Ｄ（図５参照）に、その前側から挿入されて使用される。
【００２１】
＜カートリッジケース１０＞
カートリッジケース１０は、図１に示すように、記録ディスクメディア３０を収容するための厚さの薄い箱状体である。そして、カートリッジケース１０は、前端部１０ａが平面視で円弧（アーチ）状に形成されると共に、後端部１０ｂ、右端部１０ｃ及び左端部１０ｄが平面視で略直線状に形成されている。なお、後端部１０ｂの中間部は、その両側に比してやや後側に膨らんでおり、記録ディスクカートリッジ１をドライブ装置Ｄから取り出す際に把持し易くなっている（図５参照）。
【００２２】
また、カートリッジケース１０は、その内部に収容された記録ディスクメディア３０を外部に臨ませるための、平面視でくさび形（中心角が略９０°の略扇形）に切り欠かれたアクセス用開口部１０１（ケース開口）を有している。なお、このアクセス用開口部１０１は、ドライブ装置ＤのスイングアームＳＡ（図５参照）の動作に干渉しない形状となっている。
【００２３】
このようなカートリッジケース１０は、図２に示すように、互いに対向して配置される金属製の上シェル１１及び下シェル１２と、この上シェル１１及び下シェル１２の間に介在（取り付けられた）した合成樹脂製のフレーム部材１３と、を備えて構成されている。
【００２４】
［上シェル１１、下シェル１２］
上シェル１１は、主に、カートリッジケース１０の上壁を構成する部材である。下シェル１２は、主に、カートリッジケース１０の下壁を構成する部材である。このような上シェル１１及び下シェル１２は、例えばステンレス鋼等の金属プレートが、打ち抜き加工され、後記するように折り曲げ加工されることで、所定の形状に形成されている。
【００２５】
上シェル１１は、その前側左寄りの部分に、平面視でくさび形に切り欠かれたアクセス用開口部１１１を有している。これと同様に、下シェル１２は、その前側左寄りの部分に、平面視でくさび形に切り欠かれたアクセス用開口部１２１を有している。そして、アクセス用開口部１１１とアクセス用開口部１２１とで、前記したカートリッジケース１０のアクセス用開口部１０１が構成されている。
【００２６】
また、上シェル１１は、その右側に、金属プレートを折り曲げ加工して一体形成された平面視直線状の折り曲げ部１１２ｃを有しており、その左側に、折り曲げ部１１２ｄを有している。これと同様に、下シェル１２は、その右側に折り曲げ部１２２ｃを、その左側に折り曲げ部１２２ｄを有している。
そして、カートリッジケース１０が組み立てられたときに、折り曲げ部１１２ｃと折り曲げ部１２２ｃが重なり合って、カートリッジケース１０の右端部１０ｃにおける周壁の一部を構成するようになっている。これと同様に、折り曲げ部１１２ｄと折り曲げ部１２２ｄとが重なり合って、左端部１０ｄにおける周壁の一部を構成するようになっている。
【００２７】
さらに、上シェル１１は、その中央部に、ロータリシャッタ２０を回動可能に止め付けるセンタピン５０と係合する係合孔１１３を有している。
【００２８】
一方、下シェル１２は、その中央部に、記録ディスクメディア３０のハブ３２を外部に臨ませるハブ孔１２３を有している。そして、記録ディスクカートリッジ１がドライブ装置Ｄに装着された際に、このハブ孔１２３を介して、ドライブ装置Ｄのスピンドル（図示省略）が、ハブ３２に係合するようになっている。
また、下シェル１２は、ロータリシャッタ２０のシャッタノブ２４の軌道に沿って形成されたガイド孔１２４と、ハブ孔シャッタ４０を軸支するための内側（記録ディスクメディア３０側）に突出した２つの回動軸部１２５ａ，１２５ｂとを有している。
【００２９】
［フレーム部材１３］
フレーム部材１３は、図２に示すように、主に前端部１０ａの周壁となるアーチ状フレーム１３１と、主に後端部１０ｂの周壁となるベースフレーム１３２と、主に左端部１０ｄの前側の周壁の一部となるＶノッチ部材１３３と、を備えて構成されている。
【００３０】
アーチ状フレーム１３１の内壁面１３１ａ（記録ディスクメディア３０側の面）は、ロータリシャッタ２０の外形に沿って円弧状に形成されており、アーチ状フレーム１３１の外壁面１３１ｂ（記録ディスクカートリッジ１の外側の面）は、カートリッジケース１０の前端部１０ａの形状に沿って平面視で円弧状に形成されている。
これと同様に、ベースフレーム１３２の内壁面１３２ａ（記録ディスクメディア３０側の面）は、ロータリシャッタ２０の外形に沿って円弧状に形成されており、ベースフレーム１３２の外壁面１３２ｂ（記録ディスクカートリッジ１の外側の面）はカートリッジケース１０の後端部１０ｂの形状に沿って平面視で略直線形状に形成されている。
【００３１】
また、アーチ状フレーム１３１は、下向きに開口し、カートリッジケース１０の内部と外部を連通させる係合溝１３１ｅ（図４参照）を有している。この係合溝１３１ｅは、後記するロック片７０が係合する溝である。
【００３２】
Ｖノッチ部材１３３は、後記するように閉方向に付勢されるロータリシャッタ２０を閉位置で止めるストッパとしての役割と（図４参照）、ドライブ装置Ｄとの係合部としての役割とを備える部材であり、左端部１０ｄの前側に配置されている。
【００３３】
そして、このような上シェル１１及び下シェル１２とフレーム部材１３とは、公知の技術によって、それぞれ固定されている。例えば、（１）フレーム部材１３にボスを設けると共に、上シェル１１及び下シェル１２にボス孔を設け、ボスをボス孔に挿通した状態でボスの先端をかしめたり、（２）上シェル１１及び下シェル１２とフレーム部材１３とを接着剤により接着したりして、上シェル１１及び下シェル１２とフレーム部材１３とが固定されている。
【００３４】
＜ロータリシャッタ２０＞
ロータリシャッタ２０は、アクセス用開口部１０１（図１参照）を開閉するためのシャッタであり、中空構造の略円盤形状に形成されている。そして、ロータリシャッタ２０の中空部に、記録ディスクメディア３０が回転自在に収容されている（図３参照）。
【００３５】
ロータリシャッタ２０は、図２及び図３に示すように、記録ディスクメディア３０を外部に臨ませる切欠部２０１を有している（図５参照）。なお、切欠部２０１は、カートリッジケース１０のアクセス用開口部１０１と略同形状となっている。
そして、ロータリシャッタ２０は上シェル１１の中央部付近にセンタピン５０によって回動自在に固定されている。
【００３６】
さらに説明すると、ロータリシャッタ２０が閉位置にある場合、ロータリシャッタ２０の切欠部２０１と、カートリッジケース１０のアクセス用開口部１０１とが周方向にずれ、ロータリシャッタ２０がカートリッジケース１０のアクセス用開口部１０１を閉じるようになっている（図１、図４、図５参照）。
これに対し、ロータリシャッタ２０が開位置にある場合、記録ディスクカートリッジ１の厚み方向（記録ディスクメディア３０の軸方向）において、切欠部２０１とアクセス用開口部１０１とが一致し、ロータリシャッタ２０がアクセス用開口部１０１を開くようになっている。そして、このようにアクセス用開口部１０１が開かれると、記録ディスクメディア３０が外部に臨むようになっている（図５参照）。
【００３７】
また、ロータリシャッタ２０は、図示しない付勢手段（例えば渦巻きばね）によって、閉方向（図４、矢印Ａ１参照）に付勢されている。そして、このように閉方向に付勢されたロータリシャッタ２０は、記録ディスクカートリッジ１がドライブ装置Ｄに挿入される前の通常時では、周方向において、Ｖノッチ部材１３３に当接することで閉位置に配置され、アクセス用開口部１０１を閉じるようになっている（図１、図４、図５参照）。ちなみに、本発明において、前記付勢手段は必須の構成要素ではなく、後記するように、ドライブ装置Ｄ（図５参照）から記録ディスクカートリッジ１を抜き出す際に、ロータリシャッタ２０が閉方向Ａ１に回動するように、ドライブ装置Ｄ側にシャッタノブ２４の係止手段を設けることによって、前記付勢手段は省略することができる。
【００３８】
このようなロータリシャッタ２０は、図２及び図３に示すように、金属プレートからなる上シャッタ２１及び下シャッタ２２と、これらの間に介在した合成樹脂製のシャッタウォール２３と、を備えて構成されている。
【００３９】
［上シャッタ２１、下シャッタ２２］
上シャッタ２１は、ロータリシャッタ２０の上壁を構成する部材であり、くさび形に切り欠かれた切欠部２１１を有している。下シャッタ２２は、ロータリシャッタ２０の下壁を構成する部材であり、くさび形に切り欠かれた切欠部２２１を有している。
そして、切欠部２１１と切欠部２２１とで、前記したロータリシャッタ２０の切欠部２０１が構成されている。
【００４０】
また、上シャッタ２１は、その中央部に、前記したセンタピン５０を挿通させるための挿通孔２１２を有している。
【００４１】
下シャッタ２２は、その中央部に、記録ディスクメディア３０の後記するハブ３２を外部に臨ませるためのハブ孔２２２を有している。
また、下シャッタ２２の下シェル１２側には、ハブ孔シャッタ４０の係合長孔４１３に係合する係合突起２２３ａと、係合長孔４２３に係合する係合突起２２３ｂとが形成されている。そして、このように、係合突起２２３ａが係合長孔４１３に、係合突起２２３ｂが係合長孔４２３に、それぞれ係合することで、ロータリシャッタ２０の回動に連動して、ハブ孔シャッタ４０が回動するようになっている。
【００４２】
また、図２及び図６に示すように、下シャッタ２２の周縁であって、後記するシャッタノブ２４に対応する箇所には、シャッタノブ２４の基部２４１に対応する形状の切欠部２２４が形成されている。シャッタノブ２４は、この切欠部２２４に配置されることで、下シャッタ２２の下面から突設される（図１（ｂ）参照）。
【００４３】
さらにまた、下シャッタ２２は、その一部が上側に折り曲げ加工されることで一体に形成されたロック片７０（ロック機構）を備えている。ロック片７０は、記録ディスクカートリッジ１の挿入前である通常時において、ロータリシャッタ２０を閉位置でロックするためのものである。
具体的には、ロック片７０は、下シャッタ２２の側面から、その径方向外側に向かって徐々に離れるように延出した細長の金属片である。ロック片７０の先端部７１は、径方向内側に向かってやや屈曲している（図３、図４参照）。
【００４４】
そして、記録ディスクカートリッジ１がドライブ装置Ｄに挿入される前の通常時、ロータリシャッタ２０が閉位置にある場合、ロック片７０の先端部７１は、アーチ状フレーム１３１の係合溝１３１ｅ（図４参照）に係合し、ロータリシャッタ２０が回動しないようになっている。
【００４５】
また、ロック片７０の先端部７１は、係合溝１３１ｅを介して、記録ディスクカートリッジ１の右側方に臨んでいる。そして、記録ディスクカートリッジ１がドライブ装置Ｄ（図５参照）に挿入されると、ドライブ装置Ｄ内のロック解除ピン（図示省略）が、ロック片７０の先端部７１を径方向内側に押し（図４の矢印Ａ６参照）、ロック片７０と係合溝１３１ｅとの係合が解除され、ロータリシャッタ２０が回動可能となるように構成されている。
【００４６】
［シャッタウォール２３］
シャッタウォール２３は、ロータリシャッタ２０の周壁を構成する部材であり、図２に示すように、ロータリシャッタ２０の切欠部２０１に相当する部分が切り欠かれた、平面視「Ｃ」字形状の樹脂製の部材である。そして、シャッタウォール２３の上下には、上シャッタ２１と下シャッタ２２とが、カートリッジケース１０と同様に、適宜な方法によって固定されており、このようなシャッタウォール２３が上シャッタ２１と下シャッタ２２との間に介在されることにより、記録ディスクメディア３０を収容するスペースが形成されている。
【００４７】
シャッタウォール２３の切り欠かれた部分の反対側には、ロータリシャッタ２０の下面から突出して、下シェル１２に形成された円弧状のガイド孔１２４を挿通するように形成された、シャッタノブ２４の一部、すなわち後記する基部２４１、軸部２４２および頭部２４３がシャッタウォール２３に一体に形成されている。
【００４８】
このシャッタノブ２４は、図６及び図７に示すように、シャッタウォール２３から所定長ロータリシャッタ２０の回転軸方向に突出した状態で形成された基部２４１と、この基部２４１を介してロータリシャッタ２０の下面から突設してさらに下シェル１２に形成されたガイド孔１２４を通って、記録ディスクカートリッジ１の下面から突出するように形成された円柱状の軸部２４２と、この軸部２４２の下端に形成されて軸部２４２の外径よりも大きくガイド孔１２４の溝幅よりも小さい外径を有した頭部２４３とから構成されている。そして、軸部２４２の記録ディスクカートリッジ１の下面からの突出部分には、ガイド孔１２４の溝幅よりも大きな外径を有した円環部２４４が、回転自在に取り付けられている。なお、シャッタノブ２４の形成方法は限定されるものではなく、適宜公知の方法により行えばよいが、本実施形態では、基部２４１と軸部２４２と頭部２４３とを射出成形によりシャッタウォール２３と一体に形成するものとする。
【００４９】
本実施形態に係る円環部２４４は、図７に示すように、軸部挿入孔２４４ａの上部に、上端から下方に向かって徐々に軸部挿入孔２４４ｈの直径が小さくなるテーパ部２４４ｂを有しており、軸部挿入孔２４４ａの上端において頭部２４３の外径と略同等の直径を有し、テーパ部２４４ｂ以下では、軸部２４２の外径より大きく頭部２４３の外径よりも小さい直径に形成されている。つまり、テーパ部２４４ｂが形成されていることにより、円環部２４４の取付時に、円環部２４４の軸部挿入孔２４４ａの直径よりも大きい外径を有した頭部２４３を容易に押し込むことができる。なお、テーパ部２４４ｂは必要に応じて形成すればよく、必ずしも形成する必要はないことはいうまでもない。また、テーパ部２４４ｂの形状も限定されないことはいうまでものない。
【００５０】
このように構成されたシャッタノブ２４は、図５に示すように、記録ディスクカートリッジ１がドライブ装置Ｄに挿入される際に、ドライブ装置Ｄのシャッタノブ係止部Ｄ１に係止されるようになっている。
【００５１】
＜記録ディスクメディア３０＞
記録ディスクメディア３０は、データを記録する記録媒体であり、本実施形態では、図２に示すように、フレキシブルディスク３１と、このフレキシブルディスク３１を支持するハブ３２と、を備えて構成されている。
【００５２】
フレキシブルディスク３１は、例えば、ポリエステルシート等からなる円盤状の支持体の両面に磁性層等の記録層を形成したものである。
ハブ３２は、フレキシブルディスク３１を支持する金属製の円筒状部材である。また、ハブ３２は、上面にフレキシブルディスク３１の取り付け部（図示省略）を備えると共に、下面にドライブ装置Ｄ（図５参照）のスピンドル（図示省略）にチャックされるチャック部３２１を備えている（図１（ｂ）参照）。
【００５３】
＜ライナ６０＞
ライナ６０，６０は、記録ディスクメディア３０をクリーニングすると共に、記録ディスクメディア３０を保護するものであり、例えば、不織布等から形成されている。そして、ライナ６０，６０は、上シャッタ２１及び下シャッタ２２のフレキシブルディスク３１（記録ディスクメディア３０）側にそれぞれ位置しており、接着層を介して上シャッタ２１又は下シャッタ２２に固定されている。
【００５４】
＜ハブ孔シャッタ４０＞
図２に戻って説明を続ける。
ハブ孔シャッタ４０は、下シェル１２とハブ３２との間の隙間Ｓ（図５参照）を開閉するシャッタであり、第１シャッタ４１と、第２シャッタ４２とを備えて構成されている。なお、ハブ孔シャッタ４０は、ロータリシャッタ２０によるアクセス用開口部１０１の開閉に連動して、隙間Ｓを開閉するようになっている。
【００５５】
第１シャッタ４１及び第２シャッタ４２は、それぞれ、平面視で半円状の板状部材である。第１シャッタ４１は、その一方側に、軸孔４１１を有している。同様に、第２シャッタ４２は、その一方側に、軸孔４２１を有している。そして、軸孔４１１には、下シェル１２の内側面に設けられた回動軸部１２５ａが差し込まれており、同様に、軸孔４２１には下シェル１２の回動軸部１２５ｂが差し込まれている。このようにして、第１シャッタ４１は回動軸部１２５ａに回動自在に軸支されており、第２シャッタ４２は回動軸部１２５ｂに回動自在に軸支されている。
【００５６】
また、第１シャッタ４１は、その他方側に、ハブ３２と嵌り合うように半円形状に切り欠かれた嵌合部４１２を有している。同様に、第２シャッタ４２は、その他方側に、嵌合部４２２を有している。そして、記録ディスクカートリッジ１がドライブ装置Ｄに挿入される前の通常時では、第１シャッタ４１と第２シャッタ４２とで、ハブ３２を、その両側から挟むと共に、隙間Ｓを閉じるようになっている。
【００５７】
さらに、第１シャッタ４１は、下シャッタ２２の下側面に設けられた係合突起２２３ａが係合する係合長孔４１３を有している。同様に、第２シャッタ４２は、係合突起２２３ｂが係合する係合長孔４２３を有している。なお、係合長孔４１３，４２３の平面視における形状は、後記するように、ロータリシャッタ２０と一体に回動する係合突起２２３ａ，２２３ｂの回動により、第１シャッタ４１及び第２シャッタ４２が回動し、ハブ孔シャッタ４０が隙間Ｓを開閉するように設計されている。
【００５８】
≪記録ディスクカートリッジの作用効果≫
次に、記録ディスクカートリッジ１の作用効果について説明する。
【００５９】
＜ロータリシャッタ２０の動作＞
ロータリシャッタ２０は、図５右側に示すように、記録ディスクカートリッジ１の通常時（ドライブ装置Ｄへの挿入前）において、閉位置に配置されており、アクセス用開口部１０１が閉じられている。さらに説明すると、通常時において、カートリッジケース１０のアクセス用開口部１０１と、ロータリシャッタ２０の切欠部２０１とは、一致しておらず、アクセス用開口部１０１は閉状態となっている。これにより、アクセス用開口部１０１からカートリッジケース１０内への塵埃の侵入が防止されており、その結果として、記録ディスクメディア３０等が保護されている。
なお、このようにロータリシャッタ２０が閉位置に配置される場合、シャッタノブ２４は、下シェル１２のガイド孔１２４の前方に位置している。
【００６０】
そして、記録ディスクカートリッジ１をドライブ装置ＤのカートリッジスロットＤＳに挿入すると、ドライブ装置Ｄのロック解除ピン（図示省略）がロック片７０の先端部７１を径方向内側に押し、ロック片７０によるロータリシャッタ２０のロックが解除された後（図４、矢印Ａ６参照）、シャッタノブ２４がドライブ装置Ｄのシャッタノブ係止部Ｄ１に引っ掛かって係止される。このようにシャッタノブ２４がシャッタノブ係止部Ｄ１に係止されたまま、記録ディスクカートリッジ１をさらに挿入すると、シャッタノブ２４はシャッタノブ係止部Ｄ１の表面を左右に移動しつつ、ガイド孔１２４に沿って摺動する（図４、矢印Ａ２参照）。
【００６１】
そうすると、シャッタノブ２４が固定されたロータリシャッタ２０は、カートリッジケース１０内でセンタピン５０を軸として回動する（図４、矢印Ａ３参照）。つまり、ロータリシャッタ２０がカートリッジケース１０に対して相対的に回動する。このようなロータリシャッタ２０の回動に伴って、アクセス用開口部１０１が、ドライブ装置Ｄ内で徐々に開く。
【００６２】
そして、図５左側に示すように、記録ディスクカートリッジ１が、完全に挿入され、ドライブ装置Ｄに装着されると、ロータリシャッタ２０の切欠部２０１とカートリッジケース１０のアクセス用開口部１０１とが一致し、ロータリシャッタ２０が開位置に配置され、アクセス用開口部１０１が完全に開かれる。その結果として、記録ディスクメディア３０が、切欠部２０１及びアクセス用開口部１０１を介して、ドライブ装置Ｄ内で、外部に臨んだ状態となる。そして、ドライブ装置ＤにおけるスイングアームＳＡのヘッドは、記録ディスクメディア３０に書き込み／読み取り可能となる。
なお、このようにロータリシャッタ２０が開位置に配置される場合、ロータリシャッタ２０に固定されたシャッタノブ２４は、下シェル１２のガイド孔１２４の後方に位置する。
【００６３】
また、記録ディスクカートリッジ１がドライブ装置Ｄから取り出されると、ロータリシャッタ２０が付勢手段（図示省略）によって閉方向に付勢され、閉位置に戻り、アクセス用開口部１０１を閉じる。そして、このようにロータリシャッタ２０が閉位置に戻ると、ロック片７０がロータリシャッタ２０をロックする（図４参照）。
【００６４】
なお、記録ディスクカートリッジ１のドライブ装置Ｄへの挿入時には、シャッタノブ２４の軸部２４２に回動自在に設置された円環部２４４が、回転しながらシャッタノブ係止部Ｄ１の表面を左右に移動するため、シャッタノブ２４の磨耗による破損が防止されている。したがって、ドライブ装置Ｄへの出し入れを繰り返し行っても、記録ディスクカートリッジ１のシャッタノブ２４が破損することが防止されている。ここで、本実施形態ではシャッタノブ２４の円環部２４４を回動自在に軸部２４２に設置するものとしたが、円環部２４４の構成は前記のものに限定されるものではなく、例えば、円環部２４４が耐磨耗、高滑り特性を示す部材により構成されていれば、円環部２４４が回動自在に設置されていなくても、本実施形態と同様の効果を得ることが可能である。
【００６５】
本実施形態に係るシャッタノブ２４の基部２４１、軸部２４２および頭部２４３は、予めシャッタウォール２３と一体に形成されているため、従来の細かい別部材からなるシャッタノブの下シャッタ２２への固定作業等の手間を省略し、記録ディスクカートリッジ１の組立作業を簡易に行うことが可能となった。また、シャッタノブ２４の基部２４１、軸部２４２および頭部２４３を予めシャッタウォール２３と一体に形成するため、細かい部材を取り扱うための手間と細かい部材を加工するための費用を省略することが可能となる。さらに、シャッタノブ２４は、予め所定の形状に形成されているため、高品質に形成されていて、好適である。
【００６６】
また、円環部２４４は、ガイド孔１２４の溝幅よりも大きな外径を有しているため、ガイド孔１２４からシャッタノブ２４が外れることが防止される。また、円環部２４４が軸部２４２と別部材により構成されているため、円環部２４４の取り付けを、ロータリシャッタ２０の組立て後に、ロータリシャッタ２０を下シェル１２に配置してから行うことが可能となり、記録ディスクカートリッジ１の組立作業性が向上し、好適である。
【００６７】
また、シャッタノブ２４は、基部２４１によって支持された状態で所定の位置に配置されているため、ドライブ装置Ｄへの出し入れ時に当該シャッタノブ２４に作用する応力によって破損が生じることが防止されている。
【００６８】
また、下シャッタ２２には、シャッタノブ２４の基部２４１に対応する位置に、基部２４１の平面形状に対応する形状の切欠部２２４が形成されているため、ロータリシャッタ２０の組立て時に、シャッタノブ２４を有したシャッタウォール２３と下シャッタ２２との組立てを容易に行うことができる。
【００６９】
＜ハブ孔シャッタ４０の動作＞
次に、このようなロータリシャッタ２０の動作に連動するハブ孔シャッタ４０について説明する。
ハブ孔シャッタ４０は、図５右側に示すように、記録ディスクカートリッジ１の通常時（ドライブ装置Ｄへの挿入前、ロータリシャッタ２０が閉位置にあるとき）において、カートリッジケース１０の下シェル１２とハブ３２との、隙間Ｓを塞いでいる。さらに説明すると、ハブ孔シャッタ４０を構成する第１シャッタ４１と第２シャッタ４２とは、下シェル１２と記録ディスクメディア３０との間でハブ３２を挟んでおり、隙間Ｓを塞いでいる。これにより、この隙間Ｓからカートリッジケース１０内への塵埃の侵入が防止されており、その結果として、記録ディスクメディア３０等が保護されている。
【００７０】
そして、記録ディスクカートリッジ１がドライブ装置Ｄに挿入されて、前記したように、ロータリシャッタ２０が回動すると、この回動に連動して、ハブ孔シャッタ４０が隙間Ｓを開く。さらに説明すると、ロータリシャッタ２０が回動すると、下シャッタ２２の係合突起２２３ａ、２２３ｂも回動する（図４、矢印Ａ４、Ａ４参照）。
【００７１】
ここで、前記したように、係合突起２２３ａは第１シャッタ４１の係合長孔４１３と係合しているため、回動する係合突起２２３ａは係合長孔４１３内を摺動し、第１シャッタ４１が下シェル１２の回動軸部１２５ａを軸として回動する（図４、矢印Ａ５参照）。
また、係合突起２２３ｂは第２シャッタ４２の係合長孔４２３と係合しているため、回動する係合突起２２３ｂは係合長孔４２３内を摺動し、第２シャッタ４２が下シェル１２の回動軸部１２５ｂを軸として回動する（図４、矢印Ａ５参照）。
【００７２】
このように、第１シャッタ４１及び第２シャッタ４２がそれぞれ回動すると、ハブ孔シャッタ４０は隙間Ｓを開き、これと共に、ハブ孔シャッタ４０によるハブ３２の挟持状態は解除される（図５左側参照）。その結果として、ハブ３２及びこれを備える記録ディスクメディア３０は、ハブ３２にチャックするドライブ装置Ｄのスピンドル（図示省略）により、良好に回転することができる。
【００７３】
なお、記録ディスクカートリッジ１がドライブ装置Ｄから取り出されると、閉位置に戻るロータリシャッタ２０に連動して、ハブ孔シャッタ４０は隙間Ｓを閉じる。
【００７４】
以上、本発明について、好適な実施形態について説明したが、本発明は前記の実施形態に限られず、本発明の趣旨を逸脱しない範囲で適宜設計変更が可能である。
例えば、前記実施形態では、シャッタノブの先端（軸部）に、円環部を設置する構成について説明したが、必ずしも円環部を取り付ける必要はない。
【００７５】
また、カートリッジケースの構成は、前記実施形態で示したものに限定されるものではなく、適宜公知のカートリッジケースを使用してもよい。例えば、カートリッジケースのフレーム部材の構成は、適宜設定すればよい。
【００７６】
また、前記実施形態では、ハブ孔シャッタを備える構成について説明したが、必ずしもハブ孔シャッタを有していなくてもよい。
【図面の簡単な説明】
【００７７】
【図１】本実施形態に係る記録ディスクカートリッジを示す斜視図であり、（ａ）は前方斜め上方からみた図、（ｂ）は後方斜め下方からみた図である。
【図２】本実施形態に係る記録ディスクカートリッジの分解斜視図である。
【図３】本実施形態に係るロータリシャッタを示す斜視図であり、（ａ）は前方斜め上方からみた図、（ｂ）は後方斜め下方からみた図である。
【図４】本実施形態に係る記録ディスクカートリッジを下方からみた平面図である。
【図５】本実施形態に係る記録ディスクカートリッジをドライブ装置に挿入した状態を示す斜視図である。
【図６】本実施形態に係るロータリシャッタの一部を示す分解斜視図である。
【図７】本実施形態に係るシャッタノブの詳細を示す断面図である。
【図８】従来の記録ディスクカートリッジを示す斜視図であり、（ａ）は上側前方からみた図、（ｂ）は下側後方からみた図である。
【符号の説明】
【００７８】
１      記録ディスクカートリッジ
１０    カートリッジケース
２０    ロータリシャッタ
２１    上シャッタ
２２    下シャッタ
２３    シャッタウォール
２４    シャッタノブ
３０    記録ディスクメディア
１０１、１１１、１２１  アクセス用開口部（ケース開口）
Ｄ      ドライブ装置
Ｄ１    シャッタノブ係止部
【図１】
2007141299.tif 000003
【図２】
2007141299.tif 000004
【図３】
2007141299.tif 000005
【図４】
2007141299.tif 000006
【図５】
2007141299.tif 000007
【図６】
2007141299.tif 000008
【図７】
2007141299.tif 000009
【図８】
2007141299.tif 000010